(57)【要約】【目的】  本発明はこれまで緑化不可能とされてきた過酷な酸性土壌・法面等への緑化・植生のための素材を提供することを課題として、研究をすすめた。【構成及び方法】  該素材は産業廃棄物として発生している、用途のない廃アルカリ成分含有素材を酸性土壌に散布又は攪拌混入して利用することでこれまで不可能に近い強酸性土壌への緑化が可能になるものである。【選択図】  な  し【特許請求の範囲】
【請求項１】
廃アルカリ含有物を酸性土の土壌改良剤として利用する方法。
【請求項２】
廃アルカリ含有物を酸性土法面及び土壌・グラウンドの中和剤として利用する方法。
【請求項３】
廃アルカリ含有物を硫化水素・亜硫酸ガス等の酸性ガスや酸性水の噴出口周辺の中和剤としての利用方法。
【請求項４】
廃アルカリ含有物を鉄筋又は鉄素材の防錆剤として利用する方法。
【発明の詳細な説明】
【発明の詳細な説明】
【技術分野】
【０００１】  本発明は産業廃棄物として排出される廃アルカリ含有物を利用して酸性土の土壌改良剤等としての利用方法を提供する。
【背景技術】
【０００２】  これまで酸性土の改良剤としては、消石灰又は木灰を散布利用しペーハーを中性に近づけて畑作を行なうのが普通である。その石灰分とは酸化カルシュウム・水酸化カルシュウム・貝殻等の炭酸カルシュウムを指しているが、雨水・湿気等を吸って水酸化カルシュウムになる際、多量の熱を放出し、その反応熱が収まるまで時間がかかる事と、アルカリ分の抽出物が水にあまり溶けにくい為、以外にも効果が限定的である。
あるいは、木灰に含まれる酸化カリウムの方が水に溶け易く、即効性があるが、最近の産廃の規制により燃焼灰も規制に従って処理しなくてはならず、何らかの対応策が必要になるものと思われる。
【発明が解決しようとする課題】
【０００３】  本発明は、その課題を解決すべく、化成ソーダいわゆる水酸化ナトリウムのレーヨン・スフ・石鹸の製造・製紙・石油の精製・鋳物の鋳型等産業上で利用し終わったものを有効利用すべく土壌改良剤及び中和剤等として開発することを課題として、研究をすすめた。
【課題を解決するための手段】
【０００４】  該廃アルカリ含有物質は、主に水酸化ナトリウムを多量に含み、炭酸ナトリウムに変化しているものも多少考えられるが、いづれにしても水に非常に溶けやすく、水に溶けて強アルカリ性を示すものである。
現在、強アルカリ性物質として産業廃棄物の廃アルカリの部類に区分され、中間処理施設において中和処理されるか最終処分場へ持って行き、埋立て処分されるしかないものであるが、該利用方法により、強酸性土壌以下のペーハーを下降させる中和剤としての有望な素材として提供可能となるものである。
【実施例】
【０００５】請求項１の廃アルカリ含有物を酸性土の土壌改良剤として利用する方法は化成ソーダいわゆる水酸化ナトリウムのレーヨン・スフ・石鹸の製造・製紙・石油の精製・鋳物の鋳型等産業上で利用し終わったものを利用し、強酸性土の土壌改良剤として特に即効性が有り、ペーハーの強弱により、量を調整することで中性値の７．０に近づけることができる。
また、該廃アルカリである水酸化ナトリウムは、水に非常に良く溶けるため土と攪拌する必要は無く、土の表面へ散布するだけで雨水又は湿気により溶解浸透し、効果を得ることができる。
添付写真１は酸性がきつく、ペーハー測定器の計測範囲を振り切っていて、強酸性土壌である事が理解できる。ペーハー値で２．０前後の強酸性土壌である。
添付写真２は四角に十字状に溝を掘った写真である。
添付写真３は該廃アルカリ成分の水酸化ナトリウム含有の珪砂を溝に入れたところである。
である。
添付写真４・５・６は請求項２の廃アルカリ含有物を酸性土法面及び平面の中和剤として利用して、スギ・ヒノキ・ヒバ・ユーカリの難腐敗性樹皮を粉砕したものを基材とした緑化用の素材を試験的に数センチの厚さに設置してみたものである。難腐敗性樹皮の素材そのものに酸やアルカリに対する緩衝作用が有るため、該廃アルカリを混ぜて使用した時の効果がより大きいものである。
添付写真７・８は２週間後に確認された芝の発芽状態であり、緑化の可能性を示唆するものである。
また添付写真９は緑化基盤材の中が、どれほどのペーハー値であるか、計測したところである。見てのとおり５．０で何とか植物が育つ値である。
添付写真１０は２週間目での芝の緑化状態である。
添付写真１１は該廃アルカリ成分含有素材を置いた溝の上部である。ペーハー値が７．０と中性を示している。
添付写真１２は緑化基盤材のない該廃アルカリ成分含有素材の箇所を測定した所である。ペーハー値がやはり７．０の中性を示している。
添付写真１３は該廃アルカリ成分素材の区域外の箇所を測定した所である。
以上の事から過酷な強酸性土壌の緑化のために、必要不可欠の素材である事が確認できるものである。
請求項３の廃アルカリ含有物を硫化水素・亜硫酸ガス等の酸性ガスや酸性水の噴出口周辺の中和剤としての利用は、火山国である日本では火山地帯全般亜硫酸ガスの噴出している場所が全国至る所にあり、広範囲にその影響を受け、強酸性土壌を生み出し不毛な山地を造り出している。そんな厳しい自然環境を緑にすべく開発された方法が水酸化ナトリウム含有物を亜硫酸ガスの噴出している周辺に散布及び囲むように盛ることで噴出による周辺への影響を緩和させることができるものである。
請求項４の廃アルカリ含有物を鉄筋又は鉄素材の錆止剤として利用する方法は、元来コンクリートの鉄筋部分が錆びないのは、コンクリート内部がアルカリ性であるためであり、酸性雨又は塩分を含んだ骨材を使用等により中性化に進むことで鉄筋の錆びが出てくるものである。錆びのために鉄筋コンクリートの強度が落ちて、耐用年数をはるかに下回る歳月で、解体に至ってしまう構造物が多いものである。それを防ぐために、１つに該水酸化ナトリウム含有物を一定量配合する事により、鉄筋の錆びを長期にわたり、防ぐ効果がより高くなる。
また従来の鉄素材の防錆技術は、亜鉛メッキ・塗装等考えられるが、コストをかけずに保存するとなると、該廃アルカリを利用するのが効果的である。
【発明の効果】
【０００６】廃アルカリ含有物を土壌改良剤として利用する方法は化成ソーダのレーヨン・スフ・石鹸の製造・製紙・石油の精製・鋳物の鋳型等産業上で利用し終わったものを利用し、強酸性土の土壌改良剤として特に即効性が有り、ペーハーの強弱により、量を調整することで中性値の７．０に近づけることができ、また該廃アルカリである水酸化ナトリウムは、水に非常に良く溶けるため土と攪拌する必要は無く、土の表面へ散布するだけで雨水又は湿気により溶解浸透し、効果を得ることができる。
廃アルカリ含有物を酸性土法面及び平面の中和剤として利用する方法は上記の説明に近いが、法面及び平面に散布するか酸性土壌に混入してもよい。
また、スギ・ヒノキ・ヒバ・ユーカリの難腐敗性樹皮を粉砕したものは、素材そのものに酸やアルカリに対する緩衝作用が有るため、該廃アルカリを混ぜて使用した時の効果がより大きい。
写真１から写真６までの方法で不毛の地である強酸性土壌へ該方法を用いて緑化施工を行なった。その結果が写真７以後であるが、ｐＨは中性に近づき、芝の種子は確実に発芽した結果、強酸性土壌でも該方法を用いれば簡単に・確実に緑化が可能な事が理解できるものである。
また、廃アルカリ含有物を硫化水素・亜硫酸ガス等の酸性ガスや酸性水の噴出口周辺の中和剤としての利用は、火山国である日本では火山地帯全般亜硫酸ガスの噴出している場所が全国至る所にあり、広範囲にその影響を受け、強酸性土壌を生み出し不毛な山地を造り出している。そんな厳しい自然環境を緑にすべく開発された方法が水酸化ナトリウム含有物を亜硫酸ガスの噴出している周辺に散布及び囲むように盛ることで噴出による周辺への影響を緩和させることができるものである。
このような不毛の地に緑化工が可能になる事が考えられ、ひいては土砂流出防止にも効果的なものになる。
該廃アルカリ含有物をセメントと配合して鉄筋の錆止剤としての利用は、元来コンクリートの鉄筋部分が錆びないのは、コンクリート内部がアルカリ性であるためであり、酸性雨又は塩分を含んだ骨材を使用等により中性化に進むことで鉄筋の錆びが出てくるものである。錆びのために鉄筋コンクリートの強度が落ちて、耐用年数をはるかに下回る歳月で、解体に至ってしまう構造物が多いものである。それを防ぐために、該水酸化ナトリウム含有物を一定量配合する事により、鉄筋の錆びを長期にわたり、防ぐことが可能となるものである。
【写真１】
【０００７】